(57)【要約】【課題】動物実験において行われるテストの最適化を自動的に行うことのできる動物実験装置を提供する。【解決手段】被験動物Ａの行動実験を行う動物実験装置１。被験動物Ａの居住環境を構成するケージ２と、ケージ２に着脱可能に取り付けられるチャンバ３と、チャンバ３内に設けられ、被験動物Ａに課題を提示するとともに被験動物Ａの応答を検出し応答データを得るタッチパネル３３と、ケージ２及びチャンバ３内の被験動物Ａの位置を測定し位置データを得る位置計測器４と、応答データ及び位置データを実験データとして記憶するデータ記憶部５５と、実験データに基づきタッチパネル３３により提示される課題の改善を行う課題改善部５１１ｅと、を備える。【選択図】図１
2014233271.tif 000002
【特許請求の範囲】
【請求項１】
被験動物の行動実験を行う動物実験装置であって、
被験動物の居住環境を構成するケージと、
前記ケージに着脱可能に取り付けられる、被験動物が進入可能なチャンバと、
前記チャンバ内に設けられ、前記チャンバ内に進入した被験動物に課題を提示するとともに、前記課題に対する被験動物の応答を検出し応答データを得るテスト部と、
前記ケージ及び前記チャンバ内の被験動物の位置を測定し、被験動物の位置データを得る位置計測器と、
前記応答データ及び前記位置データを実験データとして記憶するデータ記憶部と、
前記実験データに基づき前記テスト部により提示される前記課題の改善を行う課題改善部と、
を備えることを特徴とする動物実験装置。
【請求項２】
前記ケージは複数の前記チャンバを取り付けることが可能であるとともに、複数の前記チャンバのそれぞれが、異なる前記課題を提示可能であることを特徴とする請求項１記載の動物実験装置。
【請求項３】
前記動物実験装置は、前記実験データに基づき被験動物の行動に関する仮説を提案する課題提案部を備えることを特徴とする請求項１又は２記載の動物実験装置。
【請求項４】
前記動物実験装置は、前記実験データを解析し前記行動実験の結果を得るデータ解析部を更に備えることを特徴とする請求項１乃至３の何れか１項記載の動物実験装置。
【請求項５】
前記データ解析部は、前記実験データを隠れマルコフモデルを用いて解析することを特徴とする請求項４記載の動物実験装置。
【請求項６】
前記テスト部はタッチパネルであることを特徴とする請求項１乃至５の何れか１項記載の動物実験装置。
【請求項７】
前記ケージは給餌、給水及び清掃機能を備えていることを特徴とする請求項１乃至６の何れか１項記載の動物実験装置。
【発明の詳細な説明】
【技術分野】
【０００１】
本発明は、霊長類等の被験動物の実験データを収集し解析する動物実験装置に関する。
【背景技術】
【０００２】
霊長類やマウス等の被験動物を用いてこれらの脳機能や疾患、遺伝子が行動に及ぼす影響等の研究を行う場合、所定の実験環境下で動物実験を行い、得られた実験データを収集して解析することが行われている。
【０００３】
このような動物実験に用いられる動物実験装置として、例えば、非特許文献１に示されているように、被験動物の居住環境を構成するケージと、ケージ内に取り付けられる複数のチャンバと、チャンバ内に設けられ、被験動物に課題を提示するとともに、この課題に対する被験動物の応答を検出するテストを行うテスト部と、テスト部により検出された被験動物の応答データをテスト結果として記憶するデータ記憶部と、を備える動物実験装置が用いられている。
【０００４】
こうしたテストにおける課題の内容やその提示方法等、実験系の詳細は、試験を行う試験者により予め設定される。例えば、テスト部としてタッチパネルを用意するとともに、このタッチパネルに課題として画像を映し出し、画像を見た被験動物が触れた画像上の位置を実験データとしてデータ記憶部に記憶することが行われている。
【０００５】
そして、データ記憶部に記憶された実験データは、試験者により所定の手法を用いて解析されることで、被験動物の研究が行われる。
【先行技術文献】
【非特許文献】
【０００６】
【非特許文献１】ＮｅｗＢｅｈａｖｉｏｒ社、同社ホームページ、同社製品ＩｎｔｅｌｌｉＣａｇｅ紹介ページ、[ｏｎｌｉｎｅ]、[２０１３年５月２７日検索]、インターネット＜ＵＲＬ：http://www.newbehavior.com/products/ic＞
【発明の概要】
【発明が解決しようとする課題】
【０００７】
ところで、上述した従来の動物実験装置により得られた被験動物の実験データは、試験者が自ら解析する必要があるため、解析に長時間を要し、また、実験データが膨大である場合には、解析自体が困難なものとなっていた。
【０００８】
また、動物実験装置を用いた動物実験の進行に応じて、テスト部によるテストの最適化が行われる場合がある。すなわち、動物実験の進行に応じてより良いテストの方法が見出された場合には、この知見に応じてテストの最適化が行われることがある。
【０００９】
しかし、上述した従来の動物実験装置では、テストの最適化を行うためには試験者が自ら膨大な実験データ等を検討する必要があり、多大な労力を要していた。そのため、テストの最適化を自動的に行うことのできる動物実験装置があれば望ましい。
【００１０】
さらに、得られた実験データに基づき被験動物に関する新たな仮説を提案することと、この仮説の検証についても試験者が自ら行う必要があり、これらもまた多大な労力を要するものであった。そのため、新たな仮説の提案と検証も自動的に行うことのできる動物実験装置があれば更に望ましい。
【００１１】
そこで、本発明は、上述した問題点に鑑みて案出されたものであり、動物実験に際して行われるテストの最適化を自動的に行うことのできる動物実験装置を提供することを目的とする。
【００１２】
また、本発明は、テストの最適化に加え、新たな仮説の提案と検証についても自動的に行うことのできる動物実験装置を提供することを目的とする。
【００１３】
また、本発明は、テストの最適化と新たな仮説の提案及び検証に加え、実験データの解析も自動的に行うことのできる動物実験装置を提供することを目的とする。
【課題を解決するための手段】
【００１４】
第１発明に係る動物実験装置は、被験動物の行動実験を行う動物実験装置であって、被験動物の居住環境を構成するケージと、前記ケージに着脱可能に取り付けられる、被験動物が進入可能なチャンバと、前記チャンバ内に設けられ、前記チャンバ内に進入した被験動物に課題を提示するとともに、前記課題に対する被験動物の応答を検出し応答データを得るテスト部と、前記ケージ及び前記チャンバ内の被験動物の位置を測定し、被験動物の位置データを得る位置計測器と、前記応答データ及び前記位置データを実験データとして記憶するデータ記憶部と、前記実験データに基づき前記テスト部により提示される前記課題の改善を行う課題改善部と、を備えることを特徴とする。
【００１５】
第２発明に係る動物実験装置は、第１発明に係る動物実験装置において、前記ケージは複数の前記チャンバを取り付けることが可能であるとともに、複数の前記チャンバのそれぞれが、異なる前記課題を提示可能であることを特徴とする。
【００１６】
第３発明に係る動物実験装置は、第１発明又は第２発明に係る動物実験装置において、前記動物実験装置は、前記解析結果に基づき被験動物の行動に関する仮説を提案する課題提案部を備えることを特徴とする。
【００１７】
第４発明に係る動物実験装置は、第１発明乃至第３発明の何れか１つの発明に係る動物実験装置において、前記動物実験装置は、前記実験データを解析し前記行動実験の結果を得るデータ解析部を更に備えることを特徴とする。
【００１８】
第５発明に係る動物実験装置は、第４発明に係る動物実験装置において、前記実験データを隠れマルコフモデルを用いて解析することを特徴とする。
【００１９】
第６発明に係る動物実験装置は、第１発明乃至第５発明の何れか１つの発明に係る動物実験装置において、前記テスト部はタッチパネルであることを特徴とする。
【００２０】
第７発明に係る動物実験装置は、第１発明乃至第６発明の何れか１つの発明に係る動物実験装置において、前記ケージは給餌、給水及び清掃機能を備えていることを特徴とする。
【発明の効果】
【００２１】
上述した構成からなる第１発明乃至第７発明によれば、動物実験に際して行われるテストの最適化を自動的に行うことが可能となる。
【００２２】
また、上述した構成からなる第３発明乃至第７発明によれば、新たな仮説の提案と検証についても自動的に行うことが可能となる。
【００２３】
また、上述した構成からなる第４発明乃至第７発明によれば、更に実験データの解析も自動的に行うことが可能となる。
【図面の簡単な説明】
【００２４】
【図１】本発明の実施形態に係る動物実験装置の全体を示す斜視図である。
【図２】動物実験装置のケージを示す斜視図である。
【図３】動物実験装置のチャンバを示す斜視図である。
【図４】チャンバに設けられているタッチパネルを示す平面図である。
【図５】動物実験装置の制御装置を示す構成ブロック図である。
【図６】制御装置の制御部の機能ブロック図である。
【図７】本発明の実施形態に係る動物実験装置により行われる動物実験方法を示すフローチャートである。
【発明を実施するための形態】
【００２５】
以下、本発明の実施形態に係る動物実験装置について詳細に説明する。
【００２６】
図１は、本発明の実施形態に係る動物実験装置の全体像を示す斜視図である。動物実験装置１は、ケージ２と、ケージ２に取り付けられた８つのチャンバ３と、ケージ２内の被験動物Ａに取り付けられた位置計測器４と、動物実験装置１全体の制御を行う制御装置５とを備えて構成されている。
【００２７】
図２は、図１の動物実験装置１のケージ２を示す斜視図である。ケージ２は、被験動物Ａの居住空間となる篭状の構成であり、ケージ本体２１の正面（図２の＋Ｙ方向）には上下２段の開閉可能な扉２２が設けられているとともに、左右（図２の±Ｘ方向）側面にはそれぞれ４つ、合計８つの開口部２３が設けられている。また、ケージ２の下部には±Ｙ方向に出し入れ可能なトレイ２４が設けられている。
【００２８】
ケージ本体２１は、前後左右の４つの側面と上面とがいずれも格子状となっていて、ケージ本体２１内部への通気と、ケージ本体２１内部にいる霊長類等の被験動物Ａの外部からの視認が可能となっている。また、ケージ本体２１が格子により構成されていることで、被験動物Ａは、ケージ本体２１内部を移動しやすくなっている。なお、ケージ本体２１内部に収容される被験動物Ａの数は実験の種類に応じて調整することができる。
【００２９】
扉２２は、ケージ本体２１のＺ方向の上段と下段にそれぞれ１対ずつ設けられていて、Ｚ軸を中心として、いわゆる観音開き状に左右に開くようになっている。ケージ本体２１への被験動物Ａの出し入れや、ケージ本体２１内部について行う各種操作は、主にこの扉２２を開いて行われる。
【００３０】
開口部２３は、ケージ本体２１の左右側面にそれぞれ４つずつ、合計８つ設けられていて、この開口部２３に対して図示しない任意の固定手段を介してチャンバ３が取り付けられる。なお、本実施形態では開口部２３は８つ設けられているが、本発明においてはこの数は任意であり、実験の種類や被験動物Ａの数等に応じて増減させることができる。
【００３１】
トレイ２４は、ケージ本体２１の下部に落下した被験動物Ａの排泄物等の清掃機能を担う、図示しない清掃機構が設けられていて、ケージ本体２１に対して±Ｙ方向に出し入れ可能となっている。
【００３２】
また、トレイ２４には、被験動物Ａに対する給餌機能を担う給餌機構や、給水機能を担う給水機構も設けられている。トレイ２４がこれらの機構を有することで、ケージ本体２１内部にいる被験動物Ａの実験を、観察中に人の手による飼育作業を行うことなく長期間にわたって行うことが可能となるとともに、被験動物Ａの実験中のストレスを低減し、人為的な影響の少ない実験データを得ることができる。なお、給餌機構や給水機構をトレイ２４内ではなく、ケージ本体２１の内側面等に設けてもよい。この場合、トレイ２４は清掃機構のみを有するものとなる。
【００３３】
トレイ２４が＋Ｙ方向に引き出された状態では、トレイ２４内部の各構成がケージ本体２１外部に露出した状態となる。そのため、作業員がトレイ２４内部に設けられた各構成に対する清掃等の維持管理作業を行うことができる。
【００３４】
なお、トレイ２４内に設けられている各構成は、制御装置５に接続されている。また、給餌機構や給水機構をトレイ２４内に設けない場合でも、これらの機構は制御装置５に接続される。
【００３５】
図３は、図１の動物実験装置１のチャンバ３を示す斜視図である。チャンバ３は篭状の構成であり、ケージ本体２１の開口部２３に取付可能となっている。
【００３６】
このチャンバ３は、チャンバ本体３１と、チャンバ本体３１の＋Ｘ方向に位置する側面に設けられた出入口３２と、チャンバ本体３１の−Ｘ方向に位置する開放面に取り付けられたタッチパネル３３と、チャンバ３の制御とデータ収集を行う制御器３４とを備えて構成されている。
【００３７】
チャンバ本体３１は、図３における−Ｘ方向に位置する側面が開放面となっているとともに、その他の側面はいずれも格子状であり、上面および下面が平板状となっている。また、チャンバ本体３１内部には図示しない給餌機構及びエア噴射機構が設けられている。給餌機構及びエア噴射機構は、ともに制御器３４に接続されている。
【００３８】
出入口３２は、チャンバ本体３１の＋Ｘ方向に設けられた筒状の構成であり、チャンバ本体３１内部への被験動物Ａの出入口となっている。この出入口３２には、図示しないセンサおよび開閉機構が設けられている。センサ及び開閉機構は、後述する制御器３４に接続されている。
【００３９】
タッチパネル３３は、チャンバ本体３１内部に進入した被験動物Ａに対する実験を行うための課題を提供するとともに、この課題に対する被験動物の反応を検出し実験データを得るテスト部として機能する構成である。このタッチパネル３３として、自機で各種の情報処理を行いうるタブレット型の情報処理端末を用いることが好ましい。タッチパネル３３は、制御器３４に接続されている。なお、このタッチパネル３３にビデオカメラ等の撮像機構を内臓し、チャンバ３内にいる被験動物Ａの画像を撮像するとともに、他のチャンバ３内に設けられたタッチパネル３３にこの被験動物Ａの画像を映す態様としてもよい。こうすることで、異なるチャンバ３内にいる被験動物Ａ同士が相互の画像を見ることができるため、被験動物Ａ間のコミュニケーションに関する実験を行うことができる。
【００４０】
図４は、チャンバ３に設けられているタッチパネル３３を示す平面図である。タッチパネル３３の画面３３１には、各種画像が被験動物Ａに対する課題として表示され、被験動物Ａによる画像３３１の操作情報が実験データとして得られる。
【００４１】
図４に示す例では、課題として画面３３１に大きな円３３２と小さな円３３３が表示されている。こうした課題を用いることで、被験動物Ａの物体の大小判定能力と記憶力に関する実験を行うことができる。
【００４２】
この実験では、被験動物Ａはこの画面３１１に表示された大きな円３３２又は小さな円３３３を目視し円の大小を判断し、いずれかの円に触れる。
【００４３】
この接触により被験動物Ａは課題に応答したことになり、この応答結果は応答データとして制御装置５に送信され、各種解析に用いられるとともに、制御器３４にも送信され、被験動物Ａへの報酬や罰の付与に用いられる。
【００４４】
なお、本実施形態においては被験動物Ａに提示される課題として、大きな円３３２と小さな円３３３が画面３３１に表示されているが、本発明においてはこれに限らず、他の課題が表示されても良い。
【００４５】
例えば、課題として画面３１１に円や四角形、星型等の複数の形状の画像を表示し、このときの被験動物Ａの応答を検知しても良い。この課題を用いることで、被験動物Ａの図形判別能力と記憶力に関する実験を行うことができる。
【００４６】
また、課題として画面３１１に形状が同一であり色彩のみが異なる複数の画像を表示し、このときの被験動物Ａの応答を検知しても良い。この課題を用いることで、被験動物Ａの色彩判別能力と記憶力に関する実験を行うことができる。
【００４７】
また、課題として画面３１１に動物や昆虫等の生物の画像や、果物や樹木等の植物の画像を表示し、このときの被験動物Ａの応答を検知しても良い。この課題を用いることで、被験動物Ａの対象分類能力や概念形成能力に関する実験を行うことができる。
【００４８】
また、課題として他のチャンバ３に設けられたタッチパネル３３により撮影された他の被験動物Ａの画像や動画を表示し、このときの被験動物Ａの応答を検知しても良い。この課題を用いることで、被験動物Ａの社会的認識能力に関する実験を行うことができる。
【００４９】
制御器３４は、出入口３２の開閉機構の制御と、チャンバ３内で行われる実験結果に応じた被験動物Ａへの報酬や罰の付与を行う構成である。
【００５０】
具体的には、出入口３２に設けられたセンサが出入口３２に進入しようとする被験動物Ａを捉えると、センサから制御器３４への出力が行われる。制御器３４は、この出力に基づき出入口３２の開閉機構の駆動制御を行う。この駆動制御は、例えばチャンバ本体３１内に被験動物Ａが１体のみ存在可能であるように行われる。こうしてチャンバ本体３１に出入りする被験動物Ａの出入タイミングや個体数等を調節することが可能となっている。
【００５１】
また、制御器３４は、被験動物Ａがタッチパネル３３に触れることによる応答結果に応じて、被験動物Ａに対し、給餌機構を介して報酬としての餌を与えるか、又はエア噴射機構を介して罰としてのエア噴射を与える。例えば、図４に示す画面３１１では、大きな円３３２に触れると報酬としての餌が与えられ、小さな円３３３に触れると罰としてエア噴射が与えられる。
【００５２】
位置計測器４は、被験動物Ａに取り付けられて被験動物Ａの位置を測定するためのものであり、ＧＰＳ（Global Positioning System）やＵＷＢ（Ultra Wide Band）無線通信等を利用し、被験動物Ａの位置を測定する機器である。位置計測器４により計測された被験動物Ａの位置情報は位置データとして位置計測器４から直接、または制御器３４を経由して制御装置５に送信される。なお、位置計測器４としてケージ２内にビデオカメラ等の撮像機構を設け、この撮像機構により撮像された画像を解析することにより被験動物Ａの位置情報を取得してもよい。
【００５３】
制御装置５は、動物実験装置１に設けられた各構成の制御を行う。図５は、動物実験装置１の制御装置５を示す構成ブロック図である。制御装置５は、制御部５１、アンテナ５２、表示部５３、操作部５４及びデータ記憶部５５を備えて構成されている。
【００５４】
制御部５１は、制御部５１全体を制御するＣＰＵ５１１と、ＣＰＵ５１１上で動作する制御プログラム等を格納したＲＯＭ５１２と、各種データを一時的に格納するためのＲＡＭ５１３と、を備えて構成されている。
【００５５】
アンテナ５２は、動物実験装置１の各構成、具体的にはタッチパネル３３及び位置計測器４等との情報の送受信、すなわち、実験データである応答データと位置データの送受信等を行うためのアンテナである。また、被験動物Ａに脳波測定器や心電図測定器等の生体反応測定機構を取り付けた場合には、アンテナ５２は、これらの生体反応測定機構により得られたデータの送受信にも用いられる。
【００５６】
ディスプレイ５３は、制御装置５の設定状況や、制御装置５収集された実験データ、提案された仮説の内容等の表示を行うための構成である。
【００５７】
操作部５４は、操作者が制御装置５に対する設定やその変更等の各種操作を行うための構成であり、キーボード等が該当する。
【００５８】
データ記憶部５５は、位置計測器４により測定された被験動物Ａの位置データと、タッチパネル３３により得られた応答データを実験データとして記憶する。また、データ記憶部５５は、タッチパネル３３において用いられる課題データを記憶する。
【００５９】
図６は、制御装置５の制御部５１の機能ブロック図である。制御部５１は、ＣＰＵ５１１がＲＯＭ５１２に格納されている制御プログラムをＲＡＭ５１３に展開して実行することにより、通信部５１１ａ、課題取得部５１１ｂ、表示部５１１ｃ、データ解析部５１１ｄ、課題改善部５１１ｅ、環境維持部５１１ｆ及び仮説提案部５１１ｇとして機能する。
【００６０】
通信部５１１ａは、アンテナ５２を介してタッチパネル３３及び位置計測器４等との情報の送受信を行う。タッチパネル３３から受信した応答データ及び位置計測器４から受信した位置データは、データ記憶部５５に記憶される。
【００６１】
課題取得部５１１ｂは、データ記憶部５５に記憶されている課題データの読み出しを行う。課題取得部５１１ｂにより読み出された課題データは、通信部５１１ａによりアンテナ５２を介してタッチパネル３３へと送信される。
【００６２】
表示部５１１ｃは、タッチパネル３３に対して課題の提示を行わせる。
【００６３】
データ解析部５１１ｄは、実験データの解析を行い、被験動物Ａについて認知機能等の検証を行う。データ解析部５１１ｄによる実験データの解析は、隠れマルコフモデルを用いて行われる。
【００６４】
隠れマルコフモデルは、確率モデルの一種であり、システムがパラメータ未知のマルコフ過程（未来の挙動が現在の値だけで決定され、過去の挙動と無関係であるという性質を持つ確率過程）であると仮定し、観測可能な情報からその未知のパラメータを推定する手法である。
【００６５】
課題改善部５１１ｅは、データ解析部５１１ｄによる解析結果に応じて、チャンバ３において被験動物Ａに提示される課題の改善を行う。課題の改善内容としては、各チャンバ３において被験動物Ａに提供されるそれぞれの課題の交換や、課題の修正、報酬と罰のタイミングや量の変更等が挙げられる。
【００６６】
環境維持部５１１ｆは、トレイ２４の内部に設けられている清掃機構、給餌機構、給水機構等を制御し、ケージ２内部の環境を、被験動物Ａが長期間健康な状態で生存できるように維持する。
【００６７】
仮説提案部５１１ｇは、データ解析部５１１ｄによる解析結果に基づき、被験動物Ａの認知や行動等についての仮説を提案する。提案された仮説は、課題改善部５１１ｅに提供され、必要に応じて課題の改善が行われる。
【００６８】
次に、上述した構成を備える動物実験装置１により行われる動物実験について説明する。図７は、本発明の実施形態に係る動物実験装置により行われる動物実験方法を示すフローチャートである。
【００６９】
まず、被験動物Ａに取り付けられた位置計測器４により、被験動物Ａの位置の検出が行われる（ステップＳ１）。このとき検出される被験動物Ａの位置データは、位置計測器４から制御装置５へと送信され、データ記憶部５５に記憶される。
【００７０】
被験動物Ａの位置情報が、８つあるチャンバ３のうち何れか１つの中を示す場合（ステップＳ２：Ｙｅｓ）、制御装置５の表示部５１１ｃは、そのチャンバ３に設けられたタッチパネル３３に対して所定の課題を提示させることで、被験動物Ａに対する課題の提供が行われる（ステップＳ３）。
【００７１】
なお、被験動物Ａの位置情報がチャンバ３内ではない場合（ステップＳ２：Ｎｏ）、ステップＳ１に戻り、被験動物Ａの位置検出が継続される。
【００７２】
次に、提供された課題に対する被験動物の反応が検出された場合、すなわち、被験動物Ａによるタッチパネル３３に表示された課題への接触が検出された場合（ステップＳ４：Ｙｅｓ）、その反応の情報が応答データとして制御装置に送信され、データ記憶部５５に記憶される（ステップＳ５）。
【００７３】
なお、被験動物Ａがチャンバ３内にいるものの、反応が検出されない場合（ステップＳＳ４：Ｎｏ）、ステップＳ３に戻り、反応が検出されるまで課題の提供が継続される。
【００７４】
次に、データ解析部５１１ｄによるデータ解析が可能となる程度の実験データ、すなわち、応答データと位置データとがデータ記憶部５５に記憶された場合（ステップＳ６：Ｙｅｓ）、データ解析部５１１ｄによる実験データの解析が行われる（ステップＳ７）。なお、データ記憶部に記憶されている実験データの量が、データ解析部５１１ｄによるデータ解析を行いうる量ではない場合（ステップＳ６：Ｎｏ）、ステップＳ１に戻り、実験データの収集が継続される。
【００７５】
次に、データ解析部５１１ｄによる実験データの解析結果がディスプレイ５４に表示されるとともに（ステップＳ８）、課題改善部５１１ｅは、この実験データの解析結果に基づいて、課題の改善が可能であるか否かを判断する（ステップＳ９）。
【００７６】
課題の改善が可能である場合（ステップＳ９：Ｙｅｓ）、課題改善部５１１ｅは課題の改善を行う（ステップＳ１０）。
【００７７】
次に、仮説提案部５１１ｇは、データ解析部５１１ｄによる実験データの解析結果に基づき、被験動物Ａに関する新たな仮説の提案を試みる（ステップＳ１１）。
【００７８】
新たな仮説の提案が可能である場合（ステップＳ１１：Ｙｅｓ）、仮説提案部５１１ｇは新たな仮説を提案し（ステップＳ１２）、課題改善部５１１ｅはこの新たな仮説に基づいて課題の改善を行う。
【００７９】
そして、被験動物Ａに関する所望の実験が全て終了した場合（ステップＳ１３：Ｙｅｓ）、動物実験装置１による被験動物Ａを用いた実験は終了する。一方、所望の実験が終了していない場合には（ステップＳ１３：Ｎｏ）、ステップＳ１に戻り、一連の実験が繰り返される。
【００８０】
また、ステップＳ９において課題の改善が不能である場合（ステップＳ９：Ｎｏ）及びステップＳ１１において新たな仮説の提案が不能である場合（ステップＳ１１：Ｎｏ）も、ステップＳ１３へと移行する。
【００８１】
上述した実施形態に係る動物実験装置１によると、被験動物Ａの実験データの解析とテストの最適化を自動的にリアルタイムで行うことができるとともに、新たな仮説の提案と検証も同様に自動的にリアルタイムで行うことができる。
【００８２】
なお、上述した実施形態に係る動物実験装置１では、仮説提案部５１１ｇによる新たな仮説の提案が行われていたが、本発明においてはこの仮説提案部５１１ｇを省略し、自動的な仮説の提案を行わない態様とすることも可能である。この場合でも、被験動物Ａの実験データの解析やテストの最適化を自動的に行うことができる。
【００８３】
また、上述した実施形態に係る動物実験装置１では、データ解析部５１１ｄによるデータの解析が行われていたが、本発明においてはこのデータ解析部５１１ｄを省略し、自動的なデータの解析を行わない態様とすることも可能である。この場合でも、被験動物Ａに関する新たな仮説の提案とテストの最適化を自動的に行うことができる。
【００８４】
また、上述した実施形態に係る動物実験装置１では、チャンバ３内に設けられたテスト部としてタッチパネル３３が用いられていたが、本発明においてはこれに限らず、機械的な操作を要するレバーやボタン等の操作機構を設け、被験動物Ａによるレバー押しやボタン押しに対する報酬や罰を変化させることを課題としても良い。この課題を用いることで、被験動物Ａのフィードバックへの感受性に関する実験を行うことができる。
【００８５】
また、テスト部として画像を撮影するカメラや動画を撮影するビデオカメラを設けるとともに、柵で仕切りを設け、この柵を挟んで被験動物Ａの手の届かない位置に餌を置くとともに、長短２つの棒であって、長い棒を用いれば餌を手繰り寄せることができ、短い棒ではそれができないという課題を被験動物Ａに与えても良い。この課題を用いることで、被験動物Ａの物体の長短認識能力と道具使用能力に関する実験を行うことができる。
【００８６】
また、上述した実施形態に係る動物実験装置１における各構成間のデータの送受信は、有線又は無線の何れの形式により行われても良い。
【００８７】
また、上述した実施形態に係る動物実験装置１では、実験データとして被験動物Ａの応答データ及び位置データが収集されるが、本発明においてはこれに限らず、更にマイク等の周音手段を用いて被験動物Ａの鳴き声等の音声データが収集され、同様にデータ記憶部５５に記憶されるとともに、データ解析部５１１ｄにより解析される態様としても良い。
【００８８】
また、上述した実施形態に係る動物実験装置１では、実験データの解析に隠れマルコフモデルが用いられていたが、本発明においてはこれに限らず、他の解析方法が用いられても良い。
【符号の説明】
【００８９】
１  動物実験装置
２  ケージ
３  チャンバ
４  位置計測器
５  制御装置
２１  ケージ本体
２２  扉
２３  開口部
２４  トレイ
３１  チャンバ本体
３２  出入口
３３  タッチパネル
３４  制御器
５１  制御部
５２  アンテナ
５３  表示部
５４  ディスプレイ
５５  データ記憶部
３３１  画面
３３２  大きな丸
３３３  小さな丸
５１１  ＣＰＵ
５１２  ＲＯＭ
５１３  ＲＡＭ
５１１ａ  通信部
５１１ｂ  課題取得部
５１１ｃ  表示部
５１１ｄ  データ解析部
５１１ｅ  課題改善部
５１１ｆ  環境維持部
５１１ｇ  仮説提案部
Ａ  被験動物
【図１】
2014233271.tif 000003
【図２】
2014233271.tif 000004
【図３】
2014233271.tif 000005
【図４】
2014233271.tif 000006
【図５】
2014233271.tif 000007
【図６】
2014233271.tif 000008
【図７】
2014233271.tif 000009